(57)【要約】      （修正有）【課題】作業員が接近せずに、多量のフレキシブルコンテナを同時に吊り上げができる装置と方法を提供する。【解決手段】複数の吊り材を垂下した吊り枠と、吊り材の下端に取り付けた玉掛け具３とで構成する。隣接する吊り材間の間隔は、吊り上げ対象のフレキシブルコンテナの平面幅と同じもしくはフレキシブルコンテナ４の平面幅よりも多少広い。玉掛け具３は、係合空間３２を形成した部材であって、フレキシブルコンテナ４の吊り手４１に取り付けた金属プレート４２を吸着して係合空間３２に牽引する電磁石３３と係合空間３２を横断して摺動する係合棒３１を備える。係合棒３１の摺動を外部からの操作で行えるように構成する。【選択図】図３
2014024649.tif 000002
【特許請求の範囲】
【請求項１】
複数のフレキシブルコンテナを同時に吊り上げる装置であって、
複数の吊り材を垂下した吊り枠と、
吊り材の下端に取り付けた玉掛け具とよりなり、
隣接する吊り材間の間隔は、吊り上げ対象のフレキシブルコンテナの平面幅と同じもしくはフレキシブルコンテナの平面幅よりも多少広く、
玉掛け具は、係合空間を形成した部材であって、
フレキシブルコンテナの吊り手に取り付けた金属プレートを吸着して係合空間に牽引可能な電磁石と、
係合空間を横断して摺動する係合棒を備え、
係合棒の摺動を外部からの操作で行えるように構成したことを特徴とする、
フレキシブルコンテナの吊り上げ装置。
【請求項２】
複数のフレキシブルコンテナを同時に吊り上げる方法であって、
請求項１記載の装置を使用し、
すべてのフレキシブルコンテナを玉掛け具で係合して吊り枠で吊り上げ、
所定の位置でフレキシブルコンテナを玉掛け具から開放して行う、
フレキシブルコンテナの吊り上げ方法。
【発明の詳細な説明】
【技術分野】
【０００１】
本発明は複数のフレキシブルコンテナを同時に吊り上げる装置と吊り上げ方法に関するものである。
なお本明細書で「吊り上げ」とは、特に別の意味を持たせた場合以外は、吊り上げた対象物を吊り降ろす工程を含めた意味で使用するものである。
【背景技術】
【０００２】
放射性物質を含む土壌、落葉などを除去する場合に、フレキシブルコンテナと称する袋体に収納して現場や近くの仮置き場に収納する。
ここにフレキシブルコンテナとは、ポリエチレンやポリプロピレン等の丈夫な化学繊維で織った袋体である。
主に穀物や飼料、土砂などの粉状物質、または粒状物質の梱包、輸送に適しており、平均的なもので1トン、あるいはそれ以上の重量物を充填することができる。
袋体には、重量を支える丈夫な吊りベルトの長いループ部が上部に付いており、袋体をフォークリフトやクレーン等で持ち上げる際に使用する。
収納は上部の開口部から行い、マチ部分によって開口部を閉じることが可能である。
バッグ自体は軽量で折りたたみが容易であり、価格も安価であることから幅広い分野で使用される。
【０００３】
その利用のひとつとして上記のようなフレキシブルコンテナの内部に放射性物質を含む土壌、落葉などを収納して現地や仮置き場に仮置きする方法が採用されている。
仮置きした後２〜３年で中間貯蔵施設へ運搬するので、膨大な量のフレキシブルコンテナの吊り上げ、運搬、吊り降ろしは効率よく迅速に実施することが必要である。
ところが従来技術を用いると、仮置き場に仮置きしたフレキシブルコンテナをクレーンやユニックを用いて１袋ずつトラックの荷台に積載し、中間貯蔵施設でも同様に１袋ずつ荷降ろしすることになり、多量のフレキシブルコンテナの扱いには問題がある。
【先行技術文献】
【特許文献】
【０００４】
【特許文献１】特開２０１２−８６９６３号公報
【発明の概要】
【発明が解決しようとする課題】
【０００５】
上記したような従来のフレキシブルコンテナの吊り上げ作業では次のような問題がある。
＜１＞  仮置きしたフレキシブルコンテナをクレーンまたはユニックを用いて１袋ずつ吊り上げてトラックの荷台に積載するような方法では処理に時間がかかる。そのために膨大な量のフレキシブルコンテナを迅速に処理することが困難である。
＜２＞  フレキシブルコンテナの吊り上げ、吊り降ろしのたびに作業員が玉掛け、玉外しを行う必要がある。そのために放射性物質に近づく頻度が増加し、作業員の放射線被ばく量が増えて健康上で問題がある。
＜３＞  なおここで「玉掛け」とは、クレーンやデリックなどのフックで荷を吊る際に、ワイヤー、ロープ、チェーンなどを荷に取り付ける作業のことをいい、一般には作業員が直接ワイヤーなどを操作する必要がある。
【課題を解決するための手段】
【０００６】
上記のような課題を解決する本発明のフレキシブルコンテナの吊り上げ装置は、複数の吊り材を垂下した吊り枠と、吊り材の下端に取り付けた玉掛け具とよりなり、隣接する吊り材間の間隔は、吊り上げ対象のフレキシブルコンテナの平面幅と同じ、もしくはフレキシブルコンテナの平面幅よりも多少広く、一方、玉掛け具は係合空間を形成した鋼材であって、フレキシブルコンテナの吊り手に取り付けた金属プレートを吸着して係合空間に牽引可能な電磁石と、係合空間を横断して摺動する係合棒を備え、係合棒の摺動を外部からの操作で行えるように構成したことを特徴とするものである。
【０００７】
また本発明のフレキシブルコンテナの吊り上げ方法は、複数のフレキシブルコンテナを同時に吊り降ろす方法であって、上記の装置を利用し、すべての吊り材下端の玉掛け具によってフレキシブルコンテナを係合して吊り枠で吊り上げ、所定の位置でフレキシブルコンテナを玉掛け具から開放して行うことを特徴とするものである。
【発明の効果】
【０００８】
本発明のフレキシブルコンテナの吊り上げ方法と装置は以上説明したようになるから次のような効果を得ることができる。
＜１＞  複数のフレキシブルコンテナを同時に運搬する装置によって一度に多数のフレキシブルコンテナを吊り上げて吊り降ろすことができるから、膨大な量のフレキシブルコンテナを扱う場合でも効率のよい作業を行うことができる。
＜２＞  吊り材の下端に遠隔操作で係合棒が出入りする玉掛け具を使用するから、作業員がフレキシブルコンテナに接近する必要がなく、被曝の危険性がない。
【図面の簡単な説明】
【０００９】
【図１】本発明のフレキシブルコンテナの吊り上げ装置の実施例の斜視図。
【図２】玉掛け具の実施例の説明図。
【図３】自動玉掛けの状態の説明図。
【図４】フレキシブルコンテナを搭載する荷台の実施例の説明図。
【図５】本発明の吊り上げ作業の説明図。
【発明を実施するための形態】
【００１０】
以下図面を参照にしながら本発明のフレキシブルコンテナの吊り上げ装置と吊り上げ方法の好適な実施の形態を詳細に説明する。
【実施例】
【００１１】
＜１＞全体の構成
本発明のフレキシブルコンテナの吊り上げ装置および吊り上げ方法は、複数のフレキシブルコンテナを同時に吊り上げる装置およびその装置を利用した吊り上げ方法である。
吊り上げ装置は、複数の吊り材２を垂下した吊り枠１と、吊り材２の下端に取り付けた玉掛け具３とより構成する。
フレキシブルコンテナ４の詳細は前記したが、本発明の吊り上げ対象のフレキシブルコンテナ４では、汚染物質を収納する前に、吊り手４１の一部に金属プレート４２を事前に取り付けておく。
このように金属プレート４２のフレキシブルコンテナ４への取り付けは、汚染物質の収納前であるから、作業員が被ばくする心配はない。
【００１２】
＜２＞吊り枠
吊り枠１は、平面矩形の鋼製の枠体である。
この吊り枠１の側面、あるいは下面から複数本の吊り材２を下向きに垂下する。
この吊り材２は鋼線、鋼棒などによって構成する。
吊り材２の本数は、図の実施例では６本を２列に配置してあるが、この数値に限定するものではない。
吊り枠１の上には後述する玉掛け具３の係合棒３１の出入りのための信号や、電磁石の磁化と消磁の信号を発信する発信機を搭載しておくこともできる。
【００１３】
＜３＞吊り材の間隔
フレキシブルコンテナ４は等間隔で吊り上げる必要がある。
そのため複数本の吊り材２の設置間隔は、吊り上げ対象のフレキシブルコンテナ４の形状と一定の関係がある。
すなわち１本の吊り材２と、隣接する吊り材２と間の間隔は、吊り上げ対象のフレキシブルコンテナ４の平面幅と同じ、もしくはフレキシブルコンテナ４の平面幅よりも多少広く設置する。
平面幅とは、フレキシブルコンテナ４を平面視した場合にほぼ円形とみなして、その直径の寸法である。
このように吊り材２の間隔を設定することにより、フレキシブルコンテナ４群を一度に等間隔で整然と吊り降ろすことができる。
【００１４】
＜４＞玉掛け具
玉掛け具３は、例えば断面を下向きのＵ字状に形成した鋼材のブロックである。
Ｕ字状に形成した玉掛け具３の内部空間を、係合空間３２として利用する。
そして外部からの信号によって、係合空間３２を横断して摺動する係合棒３１を設ける。
係合棒３１とは例えば外部からの電気信号を受けて、ソレノイドバルブ３４から係合空間３２を横断して飛び出し、あるいは元の位置に戻るプランジャーである。
係合空間３２に飛び出した係合棒３１、すなわちプランジャーの自由端は、係合空間３２の他端面に形成したプランジャー受け３５に挿入して位置の確保ができる。
このように、本発明の玉掛け具３では玉掛け作業を遠隔操作で行うものである。
さらに玉掛け具３には外部からの操作で磁化と消磁が可能な電磁石３３を取りつける。
この電磁石３３は、フレキシブルコンテナ４の吊り手４１に取り付けた金属プレート４２を吸着して係合空間３２に牽引するためのものである。
【００１５】
＜５＞吊り上げ作業
次に本発明のフレキシブルコンテナ４の吊り上げ装置の作動について説明する。
前記したように、除染作業にともなってフレキシブルコンテナ４に収納した土壌、落ち葉などは順次、現場や仮置き場に運搬して積み上げるので、整然とした状態で集積してあるとは限らない。
本発明の装置は、このように現場や仮置き場に集積してある膨大な数のフレキシブルコンテナ４を、効率よく吊り上げ、運搬し、中間貯蔵施設で吊り降ろすための装置である。
【００１６】
＜６＞仮置き場での吊り上げ
まず現場や仮置き場では、フレキシブルコンテナ４は上記したように必ずしも整然と積み上げた状態であるとは限らない。
その状態で本発明の吊り上げ装置を使用して、吊り枠１を下降させ、各吊り材２の先端の玉掛け具３をフレキシブルコンテナ４に接近させる。
玉掛け具３の係合棒３１は収納した状態にあり、したがって係合空間３２は開放した状態にある。
一方、前記したように、フレキシブルコンテナ４の吊り手４１の一部には事前に金属プレート４２を取りつけてある。
そこで、１か所の玉掛け具３の電磁石３３だけを遠隔操作で磁化させることにより、一番近いフレキシブルコンテナ４の吊り手４１を吸引して係合空間３２に引き寄せることができる。
吊り手４１を係合空間３２まで吸引したら、係合棒３１を押し出して吊り手４１を係合空間３２に確保する。
この作業を連続して行うことにより、すべての玉掛け具３に１袋ずつのフレキシブルコンテナ４を係合することができる。
その状態で吊り枠１を吊り上げる。
【００１７】
＜７＞吊り降ろし
すべての吊り材２に１袋ずつのフレキシブルコンテナ４を確保した吊り枠１を、運搬車両５の上から吊り降ろす。
運搬車両５が車輪と荷台を備えたトラックであれば、その荷台５１にはフレキシブルコンテナ４の寸法に合わせた仕切５２を設置する。（図３）
その仕切５２り内に、吊り枠１で確保したフレキシブルコンテナ４をクレーンなどで吊り降ろす。
仕切５２の上端面は円弧面、傾斜面としておき、その仕切に沿ってフレキシブルコンテナ４を吊り降ろせば、均等な間隔を維持してすべてのフレキシブルコンテナ４を１袋ずつ、整然と仕切５２内に収納することができる。
その状態を確認したら、遠隔操作によって玉掛け具３の係合棒３１を引き戻し、係合空間３２の一部を開放する。
その状態で吊り枠１を引き上げれば、すべてのフレキシブルコンテナ４は１袋ずつ整然と仕切内に収納した状態となる。
【００１８】
＜８＞中間貯蔵施設での吊り上げ準備
本発明の装置は中間貯蔵施設にも設置してある。
中間貯蔵施設に車両５が到着したら、荷台５１に整然と並んだフレキシブルコンテナ４の上に本発明の装置の吊り枠１を降ろしてゆく。
吊り枠１から垂下した吊り材２の間隔は、荷台に並べたフレキシブルコンテナ４の間隔と等しいから、各吊り材２の下端を、各フレキシブルコンテナ４の上に下げてゆくことができる。
【００１９】
＜９＞玉掛け具での係合
玉掛け具３がフレキシブルコンテナ４の上に接近したら、玉掛け具３の電磁石３３を起動して、フレキシブルコンテナ４の吊り手４１に取り付けた金属プレート４２を吸引する。
金属プレート４２が吸引されることによって吊り手４１の一部は玉掛け具３の係合空間３２に位置する。
その状態で例えばソレノイドバルブ３４に信号を与えて、係合棒３１であるプランジャーを係合空間３２を横断する状態で突出させる。
すると係合棒３１はフレキシブルコンテナ４の吊り手４１の間に進入する。
その後に電磁石３３への通電を切って、吊り手４１を自由な状態とする。
【００２０】
＜１０＞同時吊り上げ
各玉掛け具３での係合棒３１の突出は、一度の信号によって同時に行うことができるから、すべてのフレキシブルコンテナ４は１袋ずつ各吊り材２の下端に取り付けられた状態となる。
その状態で吊り枠１を引き上げれば、荷台５１上の全部のフレキシブルコンテナ４を同時に吊り上げて中間貯蔵施設内に運び込むことができる。
【００２１】
＜１１＞吊り降ろし
吊り枠１を貯蔵位置に移動したら、玉掛け具３の係合棒３１を、信号によって同時に引き戻して、すべての玉掛け具３とフレキシブルコンテナ４の吊り手４１の係合を解除する。
すでに電磁石３３への通電は切ってあるから、すべてのフレキシブルコンテナ４と吊り材２との係合を解除でき、フレキシブルコンテナ４を所定の位置に設置できる。
吊り枠１は再度上昇させて、次の搬入作業に取り掛かる。
こうして膨大な数量のフレキシブルコンテナ４を、整然と効率よく迅速に中間貯蔵施設に搬入して積み上げることができ、しかも作業員がフレキシブルコンテナ４に接近することなく安全に行うことができる。
【００２２】
＜１２＞他の用途
以上の説明は仮置き場から中間設備への運搬、搬入の過程に関するものであったが、本発明の方法、装置はもちろんそのような状況での使用に限定するものではなく、例えば中間貯蔵施設内での扱い、その他一般の港湾での運搬、搬入など広い用途に使用することができる。
【符号の説明】
【００２３】
１：吊り枠
２：吊り材
３：玉掛け具
４：フレキシブルコンテナ
５：運搬車両
【図１】
2014024649.tif 000003
【図２】
2014024649.tif 000004
【図３】
2014024649.tif 000005
【図４】
2014024649.tif 000006
【図５】
2014024649.tif 000007